(57)【要約】【課題】  湾曲の危険性が低減された高エネルギーレバーを備える改良されたカメラを提供する。【解決手段】  フレーム、および、フレームに取り付けられたドライバを有するカメラフレームアセンブリである。ドライバはフレームに対して迅速にチャージ位置からディスチャージ位置へ移動可能である。第１ストライカ部材（１５２）は、ドライバに固定的に連結される。第２ストライカ部材（１５４）は第１ストライカ部材（１５２）の上または内部へ、縮小位置と伸長位置との間で伸縮する。【選択図】図１４
2004206104.tif 000002
【特許請求の範囲】
【請求項１】
フレーム、
前記フレームにマウントされ、前記フレームに対してチャージ位置からディスチャージ位置へ迅速に移動するドライバ、
前記ドライバに固定的に接続されている第１ストライカ部材、
前記第１ストライカ部材とともに移動可能で、前記第１ストライカ部材に対して縮小位置と伸長位置との間を伸縮する第２ストライカ部材、
を有するカメラフレームアセンブリ。
【請求項２】
フレーム、
前記フレームと接続され、光軸を規定するレンズ基部、
前記フレームにマウントされたドライバ、
前記シャッタードライバに接続された第１ストライカ部材、
前記第１ストライカ部材によって支持され、前記マウントに対し、前記光軸と平行な方向に縮小位置と伸長位置との間を移動可能な第２ストライカ部材を有し、
前記第２ストライカ部材が前記縮小位置および前記伸長位置にあるとき、前記ドライバが前記フレームに対しチャージ位置からディスチャージ位置へ迅速に移動可能な、
カメラフレームアセンブリ。
【請求項３】
第１レンズおよび第２レンズの分離を、前記両レンズによって規定される光軸に沿って変更するステップ、
前記変更に対応して、第１ストライカ部材および第２ストライカ部材を伸縮させるステップ、
前記伸縮に続いて、前記第２ストライカ部材をインパクトシャッターと衝突させ、一瞬の間、前記シャッターを開けるステップを有する、
カメラレンズの位置合わせの方法。
【発明の詳細な説明】
【技術分野】
【０００１】
本発明は写真技術およびカメラに関し、より具体的には伸縮式ストライカ(telescoping striker)を備えたシャッターアクチュエータを有するカメラフレームアセンブリおよび関連の方法に関する。
【背景技術】
【０００２】
多くのカメラ、特に使い切りカメラ(one-time-use cameras)は１枚羽根インパクトシャッター(single bladed impact shutters)を有する。この種のシャッターは露光開口部からずれた点に関して回転するシャッター羽根を有する。シャッター羽根には、露光アパーチャを覆う第１部分、および、回転の中心に関する反対側の、一瞬シャッターを開放するためにぶつけられる、第２部分が存在する。シャッター羽根はバイアス・スプリングによってバイアスされ、閉じられる。シャッター羽根、または、シャッター羽根に繋がれたレバーは、しばしば「高エネルギーレバー」と呼ばれる高速移動するレバーによって打撃される。同様にして動作するインパクトシャッターには、１枚よりも多くの羽根を備えるものもある。
【０００３】
エネルギーは一般には、フィルムフレームを前進させる間に、フィルム搬送機構によりバイアスされる（「チャージされる」とも称される）１以上のバネによって、高エネルギーレバーに供給される。バイアスされた後、高エネルギーレバーは別の部品によってラッチされる。このラッチは、シャッターレリーズ(shutter release)により解放される。したがって、高エネルギーレバーのカメラ内における位置および動作は、他のカメラ構成要素との相互作用の必要性により制約を受けている。多くのカメラは、中心点に関してレバーアームを回転させてシャッターを打撃する高エネルギーレバーを備えている。また別のものは、高エネルギーレバーの部分をシャッターに対して平行移動させるように摺動する高エネルギーレバーを備える。
【０００４】
高エネルギーレバーは、幾つかの矛盾した制約を受けている。高エネルギーレバーは高速移動する部品なので、その重量は軽くしておかねばならない。簡単化のため、複数部品よりも、単一部品からなる高エネルギーレバーが望まれる。他方、高エネルギーレバーはフィルム搬送機構、および、シャッターの両方と相互に作用する必要がある。簡単なカメラでは一般に、シャッターと高エネルギーレバーとの間は大きく分離している。シャッターは、ライト・バッフル、または、鏡筒の前方端においてレンズの近くに配される。フィルム搬送体は、バッフル、または、筒の反対側の端部の近くに配される。前記の高エネルギーの主要部分はフィルム搬送機構の近くで回転または摺動し、高エネルギーレバーのアームまたはストライカは前方、シャッターの方へ延在している。バッフルまたは筒が長ければ、アームも同様に長くなる。特許文献１、および、１９９０年４月１７日公開の特許文献２は共に、長い高エネルギーレバーを備えるカメラを開示している。両ケースとも、高エネルギーレバーは１以上の段が付けられている。これらの種類の高エネルギーレバーのアームは、使用中に、特に、比較的高い周囲環境温度において使用される場合、湾曲する危険性を含んでいる。このことは、シャッタースピードおよび露光時間の精確さを下げ、撮影される写真の品質の劣化を招きかねない。
【０００５】
特許文献３は、格納式の鏡筒を備えたカメラを開示している。カメラ内において、伸長オペレーション・アームがオペレーション・プレートから前方へ延びている。レリーズ・レバー(release lever)は２つの反対方向を向いた脚(legs)を備えたベルト・クランク形状を有する。レリーズ・レバーはオペレーション・プレートに向かって後方に延びている。レリーズ・レバーの脚の一方がオペレーション・アームと接し、そして、鏡筒が格納される場合にはオペレーション・アームに沿って移動する。カメラのシャッターボタンが押されると、オペレーション・プレートおよびオペレーション・アームは移動し、（オペレーション・プレートはこの移動に対抗するバネのバイアスを受けている。）レリーズ・レバーが動作する。これらの形態では、インパクトシャッターのシャッタードライバへのバイアスとは反対の方向にバイアスされている。
【特許文献１】米国特許第４，５９５，２６９号明細書
【特許文献２】特開平０２−１０５１２７号公報
【特許文献３】米国特許第３，６７２，２８０号明細書
【発明の開示】
【発明が解決しようとする課題】
【０００６】
従い、湾曲の危険性が低減された高エネルギーレバーを備える改良されたカメラが望まれる。
【課題を解決するための手段】
【０００７】
本発明はクレームにより規定される。より広範な態様において、本発明はフレームおよびフレームに取り付けられたドライバを有するカメラフレームアセンブリを提供する。ドライバは、フレームに対し、チャージ位置からディスチャージ位置へ迅速な移動が可能である。第１ストライカ部材は、ドライバに対して固定的に接続されている。第２ストライカ部材は、第１ストライカ部材上、または、内部へ向けて、縮小位置と伸長位置との間を伸縮する。
【発明の効果】
【０００８】
本発明により、湾曲する危険性が低減された高エネルギーレバーを備えた改良されたカメラが提供されるという有利な効果が得られる。
【発明を実施するための最良の形態】
【０００９】
添付の図面と併せて本発明の実施形態に関する以下の説明を参照することにより、上記およびその他の、本発明に関する形態および目的、ならびに、それらを実施する方法は明らかになり、本発明そのものについてもより理解が深まるであろう。
【００１０】
カメラフレームアセンブリは、四棒リンケージドライバ（本明細書中、「四棒リンケージ」とも称する。）、もしくは、伸縮ストライカ、または、それら両方を備えたシャッターアクチュエータを有する。四棒リンケージは、伸長可能レンズモジュール、または、固定位置レンズモジュールと共に使用される。伸縮ストライカは、伸長可能レンズモジュールと共に使用される。便宜上、本明細書中で実施形態と関連して記載されるカメラフレームアセンブリは一般に伸長可能レンズモジュールを有する。なぜなら、固定位置式の実施形態は議論されている鏡筒の位置に含まれるからである。
【００１１】
次に、図１０ないし図１２を参照すれば、カメラフレームアセンブリ１０はレンズモジュール２２を備えており、モジュール２２には、鏡筒１８と共に光軸１６に沿って前後に移動するシャッター１４を有するシャッター機構１２が含まれる。本明細書中、用語「カメラフレームアセンブリ」とは、完全なカメラ、または、他の部品と組み合わされて完全なカメラを形成可能な不完全なカメラのサブユニットを指す用語として用いられている。用語「カメラフレームアセンブリ」は完全な、または、不完全な、使い切りカメラを含んでいる。
【００１２】
カメラフレームアセンブリ１０は、フレーム、もしくは、基部部材２０、ならびに、基部部材２０に取り付けられているレンズモジュール２２を有する。図示している実施形態においては、基部部材２０はカメラフレームアセンブリ１０のフロントカバー２１およびリアカバー２３の間に保持されている。基部部材２０は一対の向かい合ったチャンバ１１を有し、その一つはフィルムカートリッジ（図示せず）を保持し、他方はフィルムロールを保持する。巻取機構４０はフィルムロールからフィルムを進め、（図１０に破線で示される）画面(capture plane)３８を通り、フィルムカートリッジの中に戻す。フラッシュユニット１６４を備えてシャッターと同期させることも可能である。ビューファインダーキーパー１６６はフレーム上の巻取機構４０を保持する。フラッシュユニット１６４およびその他の構成要素は、基部部材２０に取り付け、または、基部部材２０とカバー２１、２３との間に保持される。
【００１３】
レンズモジュール２２は、基部部材２０上の定位置に取り付けられたレンズ基部２４を有する。（語「定」および類似の語は本明細書においては、不動でありかつ変化しないような物理的位置もしくは関係性という意味で用いられる。）レンズ基部２４は光軸１６を規定する。本発明に係る、ある実施形態においては、レンズ基部２４は、キャリア２６および（図１２において破線で示された）基部レンズ要素２８を備え、また、随意的にさらなる１以上のレンズ要素（図示せず）を備えている。
【００１４】
図１０ないし図１２に示されている実施形態においては、レンズ基部２４はキャリア２６、マウント２７、および、ホルダーキャップ２９を有する。マウント２７はレンズモジュール２２をフレーム２０に接続し、個別具体的フレームデザインからの要請を満たすような構成をしている。マウント２７はフレーム２０に固定される。マウント２７およびその他の部品がフレーム２０に取り付けられる方式は重要ではない。例えば、マウント２７はクサビ嵌合(friction fit)、もしくは、フックにより取り付け可能であり、また、繋着(fasten)、もしくは、粘着(adhere)、もしくは、接着(bond)することも可能である。
【００１５】
マウント２７はホルダーキャップ２９を保持する前方縁取りカップ３５を有する。マウント２７の中央開口部３７は、望まざる光を遮断するマスキング構造３９で、その周囲を囲むことができ、そうすることでフレアを低減させている。ホルダーキャップ２９はマウント２７に固定的に、スナップ、粘着、または、繋着される。ホルダーキャップ２９は、ホルダーキャップ２９内で鏡筒１８が伸長、および、縮小するように、鏡筒１８を覆う。本実施形態においては、フロントカバーが基部部材２０およびレンズモジュール２２をカバーする。図２８および図３０に半図解式に示されているように、本実施形態はカバーを通ってレンズモジュール２２が伸長および縮小するように変形可能である。この場合、ホルダーキャップ２９はホルダーキャップの後方部のようなホルダー（図示せず）に取って代わられる。そうすることで、鏡筒はホルダーの外側へ伸長し、また、ホルダー内部へ縮小する。トラベラー(traveler)の端部は別個のキャップ（図示せず）により覆うことができる。
【００１６】
鏡筒１８はレンズ基部２４と結合する。鏡筒１８は光軸１６にそって（両頭の矢印３０で示されているように）前方および後方へ、完全に伸長された位置と完全に縮小された位置との間を移動可能である。鏡筒１８の移動に光軸１６周りの回転を含めてもよく、また、含めずともよい。
【００１７】
鏡筒１８はトラベラー３２、および、トラベラー３２によって保持された前方レンズ要素３４を備えている。鏡筒はさらに前方レンズリテイナー（図示せず）を備え、レンズを所定の位置に保持している。状況に応じて１以上の付加的レンズ要素（図示せず）がトラベラー３２内部に配される。前方および後方レンズ要素３４、２８、ならびに、他のレンズ要素（存在すれば）は協働して、画面３８に光を導く撮影レンズシステムを構成する。本明細書では、カメラは撮像メディアとして写真フィルムを用いる実施形態に関して説明されている。写真フィルムの代わりに電子描像体（図示せず）を代用することができる。
【００１８】
図示している実施形態においては、トラベラー３２は円筒状外壁４２、および、光軸１６と垂直な方向に延びる交差壁４４を備える。交差壁４４は中央開口部を有し、前方レンズ要素３４を支持する。シャッター１４は交差壁４４とトラベラー３２の外壁４２と結合しているバッカー(backer)４３との間に保持される。バッカー４３は圧入、または、粘着、または、ファスナ等により取り付け可能である。
【００１９】
ツイストリング５６がレンズ基部２４上にマウントされる。ツイストリング５６は少なくともレンズ基部２４の周りの部分に延在する。ツイストリング５６は右方配置から左方配置へ、複数の中間的配置を経てレンズ基部２４に対して相対的可逆回転が可能である。（本明細書中、その他の方向を示す語と同様、語「右方」および「左方」は相対的な意味で用いられており、限定的なものではない。）ツイストリング５６はトラベラー３２と機械的に結合しており、そうすることで、ツイストリング５６の右方配置と左方配置との間の回転により鏡筒１８をそれぞれ第１位置および第２位置へ移動させる。ツイストリング５６は、ノブ４１、または、フロントカバーもしくはホルダーキャップの形態（図示せず）によって軸方向に、所定の位置で捕捉される。
【００２０】
トラベラー３２は、レンズ基部２４およびツイストリング５６の部分と共に伸長−縮小機構を提供するコネクタ５０を備えている。コネクタ５０は３つのトラックフォロワー５４を備えている。トラックフォロワー５４をトラベラー３２に等間隔に配してトラベラー３２がレンズ基部２４に対して傾くことを防ぐことができる。各トラックフォロワー５４には、相隔たる一対のポストがある。ツイストリング５６はトラベラー３２のコネクタ５０を受承し、かつ、ツイストリング５６の右方配置と左方配置との間の回転に際してトラベラー３２が光軸１６に沿って前方および後方に移動することを強いる、咬合部５８を有する。咬合部５８とはトラベラー３２のトラックフォロワー５４の１つをそれぞれ受承する内部トラック６０の集合体である。本明細書にて示す実施形態においてトラック６０は、ツイストリング５６の周壁６７から光軸１６に向かって延びた螺旋状リブである。トラック６０はそれぞれのトラックフォロワー５４のポストの間に挟持される。あるいは、トラック６０はグルーブ内またはフェンス間に乗るように構成されているトラックフォロワー５４を受承するグルーブまたは一対の平行なフェンスでもよい。
【００２１】
トラックフォロワー５４はレンズ基部２４のホルダーキャップ２９の対応するスロット６３を通り、トラック６０へ延びる。スロット６３はそれぞれ光軸１６と平行に延在する。示している実施形態においては、３つのスロット６３、および、それと対応する３つのトラックフォロワー５４が存在する。
【００２２】
ツイストリング５６が回転すると、トラックフォロワー５４はトラック６０に沿って摺動する。トラックフォロワー５４はレンズ基部２４のスロット６３に保持されているので、鏡筒１８は光軸１８に沿って内側または外側に直線的に往来する。移動の後、トラベラー３２は摩擦によって選択された位置に保持される。
【００２３】
咬合部５８および対応するコネクタ５０は変更可能である。例えば、咬合部５８およびコネクタ５０は噛み合わされたギアもしくはその均等物でもよい。ツイストリングを用いて鏡筒を縮小および伸長させる別の機構も当業者には周知のものである。
【００２４】
鏡筒の運動には、使用者がツイストリング５６を回転させることにより、手動的に動力が供給される。図１０を参照すれば、ツイストリング５６はフロントカバー２１のスロット７３を通って突出しているノブ４１を備えている。使用者がノブ４１を動かし、ツイストリング５６を回転させる。鏡筒１８は別の方法で手動的に操作可能であり、あるいは、手動的に操作する代わりに別の動力を供給することも可能である。
【００２５】
キャリア２６はトラベラー３２のトラックフォロワー５４と同様にして外側に延びるペグ５３を備えている。ペグ５３はホルダー４３のそれぞれのスロット内、それぞれのトラックフォロワー５４の後方に捕捉される。３つのペグ５３は、トラベラー３２の３つのトラックフォロワー５４と同じ方法で供される。
【００２６】
シャッター機構１２が開くと光は撮影レンズシステムを通って画面３８に向かう。図面は写真フィルム用カメラを示しているが、記録保管用撮像に写真フィルムではなく、電子的描像体を使用することができる。
【００２７】
シャッター機構１２は、フレーム２０にマウントされたシャッターレリーズ６２、および、トラベラー３２に配置されたインパクトシャッター１４を有する。シャッター１４は本明細書中、大抵、１枚羽根の形で記載されるが、必要であれば、複数の羽根を有するシステムを１枚羽根に代えることができる。シャッター１４はトラベラー３２と共に光軸１６に沿って前後に移動する。シャッター１４は通常、閉状態であり、シャッター１４はトラベラー３２の交差壁４４にあるアパーチャ６４をしっかりと覆っている。
【００２８】
シャッター１４はシャッターアクチュエータによって駆動される。実施形態によっては、シャッターアクチュエータは伸縮ストライカ１５０を備えた、または、備えていない、四棒リンケージドライバ７２を備えているか、または、伸縮ストライカ７４を有する（時には「高エネルギーレバー」と称される）シャッタードライバ７８である。以下で先ず、伸縮ストライカを備えていない四棒リンケージを有するシャッター機構について説明する。
【００２９】
図１ないし図９、ならびに、図１１を参照すれば、シャッターアクチュエータ７１は巻取機構４０によりチャージ状態にチャージされる。巻取機構４０は、フレーム２０の上端角部近くに回転のためにマウントされた一体型指回し式回転盤および計量回転盤６８を有する。回転盤６８の一部はリアカバー２３を超えて延在し、カメラ操作者にとって操作しやすくなっている。必要であれば、使用者が直接的に駆動する代わりに回転盤６８を巻き取りノブ、レバー、電気モータ、または、その他の同種の装置で駆動することも可能である。
【００３０】
写真フィルム７０は最初、第１フィルムチャンバ１１にコイル状に巻かれており（図示せず）、そして画面３８を通って第２フィルムチャンバ１１に延びている。そこでフィルムはその先端部をフィルムカートリッジ７６のスプール７５によって保持されている。回転盤６８には回転盤６８とフィルムカートリッジのスプール７５とを接続するキーがあり、それにより回転盤６８が前向き回転するとフィルムがカートリッジ７６に巻き取られて画面３８を通過する。逆転防止爪７７は回転盤６８端部に対してバイアスし、逆方向への回転を防止している。
【００３１】
フィルム計量スプロケット８０はフレーム２０により旋回可能に支持されたスプロケットシャフト８１を有する。スプロケット８０はフィルム７０におけるパーフォレーションと咬合し、フィルムフレーム１つ分に対応する距離だけフィルム７０が進む毎に、完全な１回転になるように回転される。
【００３２】
アクチュエータディスク８２およびチャージカム８４はスプロケット８０の機軸７９と単一のものとして作られているか、または、スプロケット８０と固定的（不動的）な関係で組み立てられている。もしくは、アクチュエータディスク８２はノッチ８５に遮られる連続的な外周部を有する。チャージカム８４は一方の側部に螺旋状の表面を、そして、他方の側部にも螺旋状の表面を有する。
【００３３】
フィルム計量レバー８６および従動タイ・バー６６の旋回運動はフレーム２０によって支持される。（計量レバー８６および従動タイ・バー６６は、フレーム２０の供する上方に延びるポストを受承可能な中空、円筒形コアを有するように図示されている。代わりに、計量レバー８６および従動タイ・バー６６はフレーム２０およびキーパープレート１６６の穴部に適合したシャフトを備えることも可能である。）計量レバー８６は作動方向にコイル状バネ８８によってバイアスされている。計量レバー８６は端部が歯状になっている第１アーム９０、および、爪を有する第２アームを備えている。計量レバー８６の歯状アーム９０がアクチュエータディスク８２のノッチ８５に受承されていると、計量レバー８６の爪アーム９２は回転盤６８の歯状リムと咬合して一時的にフィルム７０の前進を妨げる。
【００３４】
シャッターレリーズ部材６２は、シャッターレリーズ６２のフレキシブルアーム９６のカンチレバー状端部の近くに配されているシャッターボタン９４を有する。シャッターボタン９４と隣接して、アーム９６はラッチ部材９８を支える鉛直タブを有する。
【００３５】
従動タイ・バー６６はコイル状バネ１００によりバイアスされる。従動タイ・バー６６はラッチ部材９８と咬合してバネ１００に対抗して従動タイ・バー６６をチャージ位置に保持する舌部１０２を有する。従動タイ・バー６６はまた、チャージカム８４と咬合する位置に配されているカム追随フィンガー１０４も有する。
【００３６】
図１ないし図４に示されるように、従動タイ・バー６６がチャージ状態にあり、カメラが露光できる状態にあるとき、従動タイ・バー６６の舌部１０２はラッチ部材９８と咬合されている。ラッチ部材９８はバネ１００に対抗して従動タイ・バー６６をチャージされた状態に保持する。これに先立つフィルムの前進の間、計量レバー８６の歯状アーム９０がアクチュエータディスク８２のノッチ８５に収まる位置へスプロケット８０が回転される。これにより計量爪アーム９２がバネ１００の影響を受けて回転盤６８と咬合可能となる。従動タイ・バー６６のカム追随フィンガー１０４はチャージカム８４から離れる。
【００３７】
撮影者がシャッターボタン９４を押下げて露光を開始すると、シャッターレリーズ６２が準備状態から解放状態に解放される。シャッターボタン９４がラッチ部材９８を移動させて従動タイ・バー６６の舌部１０２との咬合を解き、従動タイ・バー６６がバネ１００によってチャージ状態からディスチャージ状態にすばやく旋回する。
【００３８】
この、従動タイ・バー６６の運動の間、四棒リンケージの（図１の実施形態においては非伸縮性の）突出しているストライカ１０６が突起部１０８と衝突し、シャッター１４の旋回軸１１０周りの閉状態から開状態への回転が生じる。この運動によりシャッター１４はアパーチャ６４から離れ、光像を画面３８上に照射する。アパーチャ６４は一瞬の間、覆いが外される。ストライカ１０６が突起部１０８を通り過ぎると、シャッター１４はシャッター復帰バネ１１２のバイアスを受けて閉状態に復帰する。シャッター１４の閉位置への運動は、ストップ１１３によって制限される。
【００３９】
ストライカ１０６はマウント２７、キャリア２６、および、バッカー４３における位置合わせされたギャップ１１５、１１６、１１７を通って運動する。図１３を参照すれば、ある特定の実施形態において、バッカーはストライカ１０６のためのガイド１１９の付与によって変形される。ガイド１１９はトラベラー３２のギャップ１２１にある。ガイド１１９はストライカ１０６の湾曲防止に資する。本実施形態では、トラベラー３２の外壁４２は外付けキャップ（図示せず）を支えるために延長されている。
【００４０】
フィルムへの露光が完了した後で、使用者はシャッターボタン９４を解放する。従動タイ・バー６６の第２アーム１１１は計量レバー８６の下方に延びるヨーク１１４と咬合する状態まで移動する。これにより計量レバー８６は、バネ８８により計量部材８６に働く弱い力を上回る力により動作停止位置まで回転する。従って、計量爪アーム９２は回転盤６８から離れ、計量部材の歯状アーム９０はアクチュエータディスクのノッチ８５から引き出される。これにより、巻取機構４０は次の利用可能フィルムまでフィルムを進める操作が可能となる。
【００４１】
次に撮影者が回転盤６８を前方に回転させれば、フィルムはスプールに巻かれる。これにより、計量スプロケット８０は同一方向へ回転する。チャージカム８４は従動タイ・バー６６のフィンガーと咬合し、後者を再びチャージ位置まで回転させる。
【００４２】
シャッター１４には、シャッター１４が閉状態にあるときにアパーチャ６４を覆う遮断部１２０を有する。遮断部１２０に接続されているのがネック１２２であり、ネック１２２はシャッター復帰バネ１２２のための取付具１１８を備えている。シャッター復帰バネ１１２のもう一方の端部はトラベラー３２の交差壁４４上の取付具（図示せず）に接続されている。
【００４３】
遮断部１２０と反対側でシャッター１４のネック１２２と接続しているのが光軸１６と平行な旋回軸１１０に沿って後方に延びるエクステンション１２４である。エクステンション１２４はシャッターの残りの部分と一体であるか、または、ネック１２２の一端１２６において固定されている。エクステンション１２４の第２端１２８はバッカー４３のスロット状穴部１３０を通って延びている。突起部１０８は、エクステンション１２４の第２端において、旋回軸１１０に関して外側に延びている。その代わり、シャッター１４はエクステンション１２４を欠いてもよい。その場合、突起部１０８はネック１２２から外側へ延びる。図２２ないし図３１はこのタイプのシャッターを図示しており、シャッター１４は交差壁４４の後部に旋回可能に接続され、交差壁４４のアパーチャを覆う。バッカーはない。
【００４４】
撮影および再チャージの間、従動タイ・バー６６はチャージ状態からディスチャージ状態へ移動すると、ストライカ１０６は突起部１０８に衝撃を加え、シャッター１４は旋回軸１１０に関して回転して閉状態から開状態へ移動する。シャッター復帰バネ１１２はシャッター１４の閉状態から開状態への運動によってバイアスされる。ストライカ１０６が突起部１０８を越えた後、シャッター復帰バネ１１２がシャッター１４を閉状態に復帰させる。シャッター１４は、再チャージの間にストライカ１０６の復帰動作を可能とするため、バッカー４３のスロット状穴部１３０において僅かに旋回または平行移動(translate)する。突起部は、再チャージの間にストライカ１０６が突起部１０８を通り過ぎて移動するためのクリアランスを付与するために部分的に切り取ることができる。図２２ないし図３１の実施形態において、シャッター１４はスロット状穴部を有する。交差壁４４から外側に向かってスロット状穴部を通るピンが延びている。ディスチャージの間、シャッター１４はそのピンの周りを旋回する。再チャージの間、シャッター１４はピンの周りで僅かに旋回し、かつ／または、平行移動する。
【００４５】
次に、図１を参照すれば、フレーム２０から外側に向かって一対のタイ・バー６６、１３２が延びている。タイ・バー６６、１３２はそれぞれ対向した第１端および第２端１３６、１３８を有する。第１端１３６は互いに間隔をおいてフレーム２０に旋回可能に結合している。平行棒１３４は２つのタイ・バー６６、１３２の第２端と旋回可能に結合している。平行棒１３４は第１端から前方向へ間隔をあけてあり、いくつかの実施形態においては、フレーム２０から前方向に間隔があけられている。ストライカ１０６は平行棒１３４と共に動くことが可能で、また、望ましくは平行棒１３４と結合している。
【００４６】
フラッシュ同期スイッチ１７６は、ストライカ１０６または棒６６、１３２、１３４のいずれかの運動によって操作されることが可能である。図２を参照すれば、補助アーム１７８を平行棒１３４またはその他の棒の１つに配置することができる。フラッシュ同期スイッチは棒１３４と平行にフレーム２０にマウントされる。スイッチ１７６は一対の接点１８２、および、接点１８２に隣接してＬ形状リンク１８４を有する。リンク１８４は一対の直交アーム１８６を有する。リンク１８４は（図２において交差(cross)で示されている）軸１８８周りに、アーム１８６の間をセット位置から作動位置まで平行棒のチャージ位置からディスチャージ位置への直線運動により旋回可能である。リンク１８４は、平行棒の反対方向、ディスチャージ位置からチャージ位置への復帰運動により、セット位置に復帰する。接点１８２は補助アームが通過するときには閉じ、その他の時には開いている。
【００４７】
図示の実施形態において、タイ・バー６６、１３２の第１端１３６はフレーム２０のポスト１４０に適合したソケットである。第２端１３８、および、平行棒１３４の端部１４２、１４４は類似のポストおよびソケット配置に適合している。図示の実施形態において、平行棒１３４の端部１４２、１４４はソケットを供与し、タイ・バー６６、１３２はポストを供与する。タイ・バー６６、１３２およびフレーム２０は開口部とポストを置き換えるように、または、他の類似の形態を有するように変形可能である。
【００４８】
タイ・バー６６、１３２および平行棒１３４は、ストライカ１０６およびフレーム２０の間で、平行四辺形リンケージ（四棒リンケージとも呼んでいる）として機能する。平行棒１３４およびタイ・バー６６、１３２は前後に旋回可能である。これにより、ストライカに直線運動がもたらされる。タイ・バー６６、１３２および平行棒１３４の運動は、棒６６、１３２、１３４の１つで機能する、輸送チャージ機構(transport-charging mechanism)により駆動される。機能する棒は、個々の機構の要求を満足するように適合させることができる。
【００４９】
図に示されている実施形態においては、従動タイ・バー６６は輸送チャージ機構の部分を構成している。従動タイ・バー６６は従来型高エネルギーレバーの代わりをし、棒１３２および１３４、ならびに、ストライカ１０６と共に運動する。
【００５０】
ストライカ１０６は、湾曲することなくチャージ状態とディスチャージ状態との間を運動することができる程、十分に硬い。平行棒１３４およびタイ・バー６６、１３２とは異なり、ストライカ１０６はどちらかの端部を支持されているというよりもむしろ、片持ちである。このため、ストライカ１０６は棒６６、１３２、１３４よりもさらに硬く作られている。
【００５１】
図１に示すように、ストライカ１０６は剛性を高めるためにＵ形状の断面にすることが可能である。ストライカ１０６は長手方向に平行棒１３４から外側に向かって延びるメインビーム１４６、および、メインビーム１４６から外側に延びている長手方向へ延在したフランジ１４８、１４９を有する。もし必要であれば、重量を低減するため、先導フランジ１４９を廃止することができる。
【００５２】
示されている実施形態においては、平行棒１３４はタイ・バー１３２よりも長い。相対的に短いタイ・バー１３２の長さにより、運動中の棒のねじれの危険性が減少する。ある特定の実施形態においては、平行棒１３４およびストライカ１０６は一体ポリマー成型体のうちの部分体である。この方法は従来的であって、また、ストライカと平行棒との間に結合部を持たないため、部分の剛性に資するものである。
【００５３】
図１ないし図９示す実施形態においては、ストライカ１０６はおよそ平行棒１３４の中間点に位置している。四棒リンケージ７２を平行棒１３４に沿った任意の場所へ移動させる変更が可能であり、また、平行棒１３４の最も長い寸法を有する方向に垂直な方向および光軸に垂直な方向内で、上方もしくは下方に段をつけることが可能である。この例を図１８に示す。
【００５４】
次に、図１４ないし図１８を参照すれば、ある特定の実施形態において、伸縮ストライカ１５０は、光軸に沿ったシャッター１４のさらなる運動に対応している。ストライカ１５０は、シャッタードライバ７８、四棒リンケージ７２、または、その他のシャッターアクチュエータに固定的に接続されている第１ストライカ部材１５２を有する。第２ストライカ部材１５４は第１ストライカ部材１５２に支持されており、光軸に平行な方向内で第１ストライカ部材１５２およびフレームに対して可動である。
【００５５】
第２ストライカ部材１５４の運動は、第２ストライカ部材が相対的にフレーム２０に近接した縮小位置と、第２ストライカ部材１５４が相対的にフレームと隔たっている伸長位置との間の運動である。概してシャッターアクチュエータはチャージ位置からディスチャージ位置へ、フレームに対して迅速な運動が可能であり、そうすることにより、インパクトシャッターを打撃、もしくは、シャッターを作動させる。チャージ位置からディスチャージ位置へのシャッターアクチュエータの運動は、第２ストライカ部材１５４が縮小位置にあるとき、および、第２ストライカ部材１５４が伸長位置にあるときに起こりうる。ある特定の実施形態においては、第２ストライカ部材１５４は、縮小位置と伸長位置との間に複数の中間位置を備えることができる。この実施形態においては、第２ストライカ部材１５４が縮小、中間、および、伸長位置のいずれにある場合であっても、シャッターアクチュエータはチャージ位置とディスチャージ位置との間を移動可能である。
【００５６】
第１ストライカ部材１５２、および、第２ストライカ部材１５４は、伸長位置と縮小位置との間の運動に対し、第１ストライカ部材１５２が第２ストライカ部材１５４を支持するように構成されている。ストライカ部材の１つが他のストライカ部材まで伸縮する。例示されている実施形態においては、第２ストライカ部材１５４が第１ストライカ部材１５２を覆って伸縮する。その代わりに、第２ストライカ部材が第１ストライカ部材の内部を伸縮することもできる。これら両方の場合において、縮小位置において内側のストライカ部材の周囲にある外側のストライカ部材が完全に伸長するように、外側のストライカ部材は管状であってよい。代わりに、外側のストライカ部材は１以上の壁部または部分を、質量の低減を目的として取り除かれてもよい。それぞれの使用における強度の必要性を満たせば、内側のストライカ部材は中空でも中空でなくともよい。
【００５７】
２以上の伸縮ストライカ部材を配することも可能である。ストライカ部材は、長さを変化させることができ、一のストライカ部材が他のストライカ部材より、不完全な伸縮をすることもできる。簡単のため、おおむね伸縮ストライカは、等しい長さの２つの伸縮ストライカ部材を有するストライカに関連し、本明細書に記載する。
【００５８】
ストライカ部材は円形断面であっても、もしくは、内側のストライカ部材の長手方向軸に関して外側のストライカ部材が回転可能な形状であってもよい。図示しているシャッターについて、そのような回転は不要であり、外側のストライカ部材は内側のストライカ部材の長手方向軸に関する回転を、内側のストライカ部材の部分によって阻止されている。図示されている実施形態においては、外側のストライカ部材１５４は、外側のストライカ部材１５４の切り取られている部分を除いて正方形または長方形の横断面を有する。
【００５９】
伸縮ストライカ１５０は、外側ストライカ部材を内側ストライカ部材上に保持する保持形態を有することができる。また必要であれば、保持形態が伸縮の量を制限することも可能である。このために、様々な形態を付与することができる。例えば、図示している実施形態においては、外側ストライカ部材１５４は、内側ストライカ部材１５２上に形成された一対のタブ１５８（図２１において最も明瞭である）を受承するスロット１５６を有する。組み立ての際、外側ストライカ部材１５４はタブ１５８をスロット１５６に入れるために周知の曲げを受ける。
【００６０】
図示している実施形態においては、第２ストライカ部材１５４は第１ストライカ部材１５２上を自由に移動できる。その代わりに、第２ストライカ部材１５４を、カメラがぶつけられたり、もしくは、方向を変えられたりした時に、第２ストライカ部材１５４が意図されない運動を起こすことを防止する目的で、摩擦により保持、または、バイアスを加えることができる。
【００６１】
可動ストライカ部材１５４は、伸長および縮小の間鏡筒１８の部分と咬合する一対の対向したバンパ１６０、１６２を有し、それによって第２ストライカ部材の伸長位置と縮小位置との間の運動がもたらされる。図示の実施形態においては、フロントバンパおよびリアバンパ１６２は第２ストライカ部材１５４のいずれかの端部において外側に延びている。第２ストライカ部材１５４は、フロントバンパ１６０を含めて、トラベラー３２の交差壁４４内の開口部１６８を通って突出し、フロントバンパ１６０は開口部１６８に隣接したトラベラー３２の縁部１７０（図２７参照）と接触するように配置される。トラベラー３２が伸長されると、縁部１７０はフロントバンパ１６０を押し、第２ストライカ部材１５４を前方に進ませる。図２６および図２７の実施形態においては、鏡筒１８はフロントカバー２１内部で伸長および縮小を行う。この場合、補助部材１７２がトラベラー３２から後方に延びる。鏡筒１８が縮小すれば、トラベラー３２は後方に移動し、補助部材１７２がリアバンパ１６２を押して第２ストライカ部材１５４が後方に進められる。図２８ないし図３１に示した実施形態においては、端部にキャップ１７４を備えた鏡筒１８自体が伸長およびレンズ基部２４内へ縮小する。この場合、鏡筒１８が縮小したとき、トラベラー３２は後方に移動し、キャップ１７４が第２ストライカ部材１５４を押し、第２ストライカ部材１５４を後方に進ませる。
【００６２】
伸縮ストライカ１５０は、シャッターアクチュエータにおいて、非伸縮式ストライカの代わりに使用可能である。回転式シャッタードライバ７８および直線的往復運動をする四棒リンケージ７２における伸縮ストライカ１５０に関する開示は限定的ではない。伸縮ストライカ１５０は、空間的な制約が許せば、その他の回転式または直線的往復運動式のシャッターアクチュエータにおける使用も可能である。
【００６３】
図１８に図示している実施形態においては、シャッターアクチュエータは、先に記載のタイ・バー６６、１３２、および、四棒リンケージ１７２の平行棒１３４を有する。この場合、ストライカ部材１５２、１５４は直線的に運動する。
【００６４】
第１ストライカ部材１５２は平行棒１３４に沿った別の場所に配置することが可能である。図１６ないし図１８を参照すれば、第１ストライカ部材１５２はシャッタードライバ７８または従動タイ・バー６６の底部に対して、一列に並べること、上方に向かって段をつけること、または、下方に向かって段をつけることが可能である。この場合、第１ストライカ部材１５２は上方もしくは下方、ならびに、任意で１以上のさらに別の方向へ段階的に延びるステムを有する。ステムの外側端部には、光軸と平行で、かつ、第２ストライカ部材１５４を支持する直線部が接続されている。
【００６５】
本発明は、ある好適な実施形態を言及することにより、説明されているが、当然のことながら、本発明に係る思想および範囲内において修正および変形が可能である。
【００６６】
（本発明のその他の形態）
以下、番号付きの文により他の形態について記載する。
１．フレーム、
前記フレームにマウントされ、前記フレームに対してチャージ位置からディスチャージ位置へ迅速に移動するドライバ、
前記ドライバに固定的に接続されている第１ストライカ部材、
前記第１ストライカ部材とともに移動可能で、前記第１ストライカ部材に対して縮小位置と伸長位置との間を伸縮する第２ストライカ部材、を有するカメラフレームアセンブリ。
２．さらに、前記第２ストライカ部材に関する軸方向に前記第１ストライカ部材に対して伸長位置と縮小位置との間を移動可能で、前記第２ストライカ部材の前記移動により、閉位置から開位置へ旋回可能なシャッター羽根を有する、文１．に記載のカメラフレームアセンブリ。
３．さらに、前記フレームに対して第１位置と第２位置との間を選択的に移動し、前記シャッター羽根がマウントされたトラベラーを有する、文２．に記載のカメラフレームアセンブリ。
４．前記第２ストライカ部材の前記伸縮が前記トラベラーの前記移動に対応している、文３．に記載のカメラフレームアセンブリ。
５．前記両ストライカ部材が前記フレームに対して前記チャージ位置と前記ディスチャージ位置との間を直線的に移動する、文２．に記載のカメラフレームアセンブリ。
６．前記両ストライカ部材が前記フレームに対して前記チャージ位置と前記ディスチャージ位置との間を直線的に移動する、文１．に記載のカメラフレームアセンブリ。
７．前記両ストライカ部材が前記フレームに対して前記チャージ位置と前記ディスチャージ位置との間を旋回する、文１．に記載のカメラフレームアセンブリ。
８．さらに、前記フレームに対して縮小位置から伸長位置まで、前記第２ストライカ部材と一緒に移動可能な鏡筒を有する、文１．に記載のカメラフレームアセンブリ。
９．前記第２ストライカ部材が、前記鏡筒の前記縮小位置から前記伸長位置への移動の際、前記鏡筒と接触するバンパを有する、文８．に記載のカメラフレームアセンブリ。
１０．両前記ストライカ部材が正方形の横断面を有する、文１．に記載のカメラフレームアセンブリ。
１１．前記第２ストライカ部材が、前記縮小位置、および、前記伸長位置、ならびに、前記縮小位置と前記伸長位置との間の複数の中間位置間を自由に移動可能である、文１．に記載のカメラフレームアセンブリ。
１２．フレーム、
前記フレームと接続され、光軸を規定するレンズ基部、
前記フレームにマウントされたドライバ、
前記シャッタードライバに接続された第１ストライカ部材、
前記第１ストライカ部材によって支持され、前記マウントに対し、前記光軸と平行な方向に縮小位置と伸長位置との間を移動可能な第２ストライカ部材を有し、
前記第２ストライカ部材が前記縮小位置および前記伸長位置にあるとき、前記ドライバが前記フレームに対しチャージ位置からディスチャージ位置へ迅速に移動可能な、カメラフレームアセンブリ。
１３．さらに、前記第２ストライカ部材に連結され、内側位置および外側位置にある前記レンズ基部に対し軸方向に移動可能であり、前記第２ストライカ部材が前記縮小位置にあるときには前記内側位置に配置され、前記第２ストライカ部材が前記伸長位置にあるときには前記外側位置に配置されるトラベラーを有する、文１．に記載のカメラフレームアセンブリ。
１４．さらに、前記トラベラーに旋回可能にマウントされ、前記トラベラーとともに前記レンズ基部に対して軸方向に移動可能であり、前記第２ストライカ部材と位置合わせされたシャッター羽根を有し、
前記運搬部材が前記チャージ位置から前記ディスチャージ位置に移動するとき、前記第２ストライカ部材が前記シャッター羽根と衝突し、前記シャッター羽根を閉位置から開位置へ駆動する、文１３．に記載のカメラフレームアセンブリ。
１５．前記第２ストライカ部材が前記縮小位置と前記伸長位置との間を伸縮する、文１２．に記載のカメラフレームアセンブリ。
１６．前記ストライカ部材らが前記フレームに対し前記チャージ位置と前記ディスチャージ位置との間を直線的に移動する、文１２．に記載のカメラフレームアセンブリ。
１７．第１レンズおよび第２レンズの分離を、前記両レンズによって規定される光軸に沿って変更するステップ、
前記変更に対応して、第１ストライカ部材および第２ストライカ部材を伸縮させるステップ、
前記伸縮に続いて、前記第２ストライカ部材をインパクトシャッターと衝突させ、一瞬の間、前記シャッターを開けるステップを有する、カメラレンズの位置合わせの方法。
１８．前記伸縮が前記光軸と平行な方向に行われる、文１７．に記載の方法。
１９．前記衝突がさらに、前記シャッターに対する前記両ストライカ部材の迅速な直線的移動を有する、文１７．に記載の方法。
２０．前記伸縮が前記光軸と平行な第１方向で行われ、前記両ストライカ部材の前記移動が前記第１方向とは垂直な第２方向で行われる、文１９．に記載の方法。
【図面の簡単な説明】
【００６７】
【図１】カメラフレームアセンブリ実施形態の四棒リンケージ(four-bar linkage)およびシャッターの前方斜視図である。図１ないし図４においては、四棒リンケージはチャージ状態であり、シャッターは閉位置である。
【図２】補助アームの追加により変形されている、図１の四棒リンケージおよびシャッターの上面図である。リンクおよび同期スイッチも示している。
【図３】図１の四棒リンケージおよびシャッターの前面図である。巻取機構も示している。
【図４】図３の四棒リンケージ、シャッター、および、巻取機構の上面図である。
【図５】図１と同様の図であり、四棒リンケージはディスチャージ位置であり、シャッターは開位置である。
【図６】図３と同様の図であり、四棒リンケージはディスチャージ状態へ移行中であり、シャッターは開位置である。
【図７】図４と同様の図であり、四棒リンケージはディスチャージ状態へ移行中であり、シャッターは開位置である。
【図８】図１と同様の図であり、四棒リンケージはディスチャージ状態であり、シャッターは閉位置である。
【図９】図４と同様の図であり、四棒リンケージはディスチャージ状態であり、シャッターは閉位置である。
【図１０】図１のカメラフレームアセンブリの前方斜視図である。
【図１１】図１０のカメラフレームアセンブリの、部分分解前方斜視図である。
【図１２】図１０のカメラフレームアセンブリのレンズモジュールの分解前方斜視図である。
【図１３】トラベラー、および、図１０に示すカメラフレームアセンブリの四棒リンケージ部分の部分断面前方斜視図である。本図に示すバッカーはストライカのためのガイドを付加することにより変形されている。
【図１４】別のカメラフレームアセンブリ実施形態の四棒リンケージの前方斜視図である。伸縮ストライカは伸長位置にある。
【図１５】図１４と同様の図であり、ストライカは縮小位置にある。
【図１６】別のカメラフレームアセンブリ実施形態のシャッタードライバの前方斜視図である。シャッタードライバは伸縮ストライカを備えており、それは伸長位置にある。
【図１７】別のカメラフレームアセンブリ実施形態のシャッタードライバの前方斜視図である。
【図１８】図１４の四棒リンケージの変形例の前方斜視図である。
【図１９】縮小位置にある、図１６のストライカの拡大前方斜視図である。シャッターも示されている。
【図２０】図１９と同様の図であり、ストライカは伸長位置にある。
【図２１】図１９のストライカの分解斜視図である。
【図２２】図１９のシャッターおよびストライカの半図解式前面図である。ストライカはチャージ状態であり、シャッターは閉位置にある。
【図２３】図２２と同様の図であり、ストライカはディスチャージ状態へ移行中であり、シャッターは部分的に開いた位置である。
【図２４】図２２と同様の図であり、ストライカはさらにディスチャージ状態へ近づきつつあり、シャッターは開位置である。
【図２５】図２２と同様の図であり、ストライカはディスチャージ状態であり、シャッターは閉位置にある。
【図２６】別のカメラフレームアセンブリ実施形態の半図解式側面図である。伸縮ストライカは伸長位置にある。
【図２７】図２６と同様の図であり、ストライカは縮小位置にある。
【図２８】別のカメラフレームアセンブリ実施形態の半図解式側面図である。伸縮ストライカは伸長位置にある。鏡筒も伸長位置にある。
【図２９】図２８のカメラフレームアセンブリの、部分断面部分上方斜視図である。伸縮ストライカおよび鏡筒はそれぞれの伸長位置にある。
【図３０】図２８と同様の図であり、ストライカおよび鏡筒はそれぞれの縮小位置にある。
【図３１】図２９と同様の図であり、ストライカおよび鏡筒はそれぞれの縮小位置にある。
【図３２】図１の四棒リンケージの分解斜視図である。
【符号の説明】
【００６８】
６６  ・・・  タイ・バー
７２  ・・・  四棒リンケージ
１０４  ・・・  カム追随フィンガー
１１１  ・・・  第２アーム
１３２  ・・・  タイ・バー
１３４  ・・・  平行棒
１３６  ・・・  タイ・バー第１端
１３８  ・・・  タイ・バー第２端
１４２  ・・・  平行棒端部
１４４  ・・・  平行棒端部
１５０  ・・・  伸縮ストライカ
１５２  ・・・  第１ストライカ部材
１５４  ・・・  第２ストライカ部材
１５６  ・・・  スロット
１６０  ・・・  バンパ
１６２  ・・・  バンパ
【図１】
2004206104.tif 000003
【図２】
2004206104.tif 000004
【図３】
2004206104.tif 000005
【図４】
2004206104.tif 000006
【図５】
2004206104.tif 000007
【図６】
2004206104.tif 000008
【図７】
2004206104.tif 000009
【図８】
2004206104.tif 000010
【図９】
2004206104.tif 000011
【図１０】
2004206104.tif 000012
【図１１】
2004206104.tif 000013
【図１２】
2004206104.tif 000014
【図１３】
2004206104.tif 000015
【図１４】
2004206104.tif 000016
【図１５】
2004206104.tif 000017
【図１６】
2004206104.tif 000018
【図１７】
2004206104.tif 000019
【図１８】
2004206104.tif 000020
【図１９】
2004206104.tif 000021
【図２０】
2004206104.tif 000022
【図２１】
2004206104.tif 000023
【図２２】
2004206104.tif 000024
【図２３】
2004206104.tif 000025
【図２４】
2004206104.tif 000026
【図２５】
2004206104.tif 000027
【図２６】
2004206104.tif 000028
【図２７】
2004206104.tif 000029
【図２８】
2004206104.tif 000030
【図２９】
2004206104.tif 000031
【図３０】
2004206104.tif 000032
【図３１】
2004206104.tif 000033
【図３２】
2004206104.tif 000034